(57)【要約】【課題】箔を被装飾体に容易に転写することができる箔転写方法を提供する。【解決手段】箔転写方法１は、装飾用デザイン１０２を穿設された転写シート１０を、被装飾体３０に固定するステップ（手順１）と、被装飾体３０に固定された転写シート１０に接着剤４０を塗布し、転写シート１０に穿設された装飾用デザイン１０２の形で、被装飾体３０に接着剤を付着させるステップ（手順２）と、転写シート１０を被装飾体３０から外すステップ（手順３）と、箔２００を剥離可能に仮接着させた箔シート５０を、被装飾体３０に付着した接着剤４０に接触させるステップ（手順４）と、接着剤４０に接触させた箔シート５０を、接着剤４０に付着した箔２００を残して、被装飾体３０から剥がすステップ（手順５）とを有する。【選択図】図１
2011136437.tif 000002
【特許請求の範囲】
【請求項１】
装飾用デザインを穿設された転写シートを、被装飾体に固定するステップと、
被装飾体に固定された前記転写シートに接着剤を塗布し、前記転写シートに穿設された装飾用デザインの形で、被装飾体に接着剤を付着させるステップと、
前記転写シートを前記被装飾体から外すステップと、
箔を剥離可能に仮接着させた箔シートを、被装飾体に付着した接着剤に接触させるステップと、
接着剤に接触させた前記箔シートを、接着剤に付着した箔を残して、被装飾体から剥がすステップと
を有する
箔転写方法。
【請求項２】
前記転写シートは、装飾用デザインを穿設された装飾シートと、メッシュ状に形成されたメッシュシートとを貼り合わせてなる
請求項１に記載の箔転写方法。
【請求項３】
前記メッシュシートの網目の４辺は、０．１ｍｍ以上０．４ｍｍ以下に形成されてなる
請求項２に記載の箔転写方法。
【請求項４】
前記箔シートは、表面に微細な凹凸を設けた補助シートに、箔を剥離可能に仮接着させてなる
請求項１に記載の箔転写方法。
【請求項５】
金属箔と、
補助シートと
を有し、
前記金属箔が、揮発性液体を用いて、前記補助シートの表面に固定されてなる
箔シート。
【発明の詳細な説明】
【技術分野】
【０００１】
本発明は、箔転写方法に関する。
【背景技術】
【０００２】
例えば、特許文献１には、所望の装飾用デザインが穿設され、裏面に粘着剤が設けられた型取り用の基材シートを被装飾体に粘着剤層により貼付し、型取り用の基材シートにおける穿設された装飾用デザインに対応するように液状の接着剤を被装飾体に塗布し、接着剤上に金箔等の装飾材を付着させ、装飾材における接着剤に対する接着部分が接着状態で残るように、基材シートを被装飾体から剥離するようにした転写装飾方法が開示されている。
【先行技術文献】
【特許文献】
【０００３】
【特許文献１】特開２００３−３４１２９８号公報
【発明の概要】
【発明が解決しようとする課題】
【０００４】
本発明は、箔を被装飾体に容易に転写することができる箔転写方法を提供する。
【課題を解決するための手段】
【０００５】
本発明に係る箔転写方法は、装飾用デザインを穿設された転写シートを、被装飾体に固定するステップと、被装飾体に固定された前記転写シートに接着剤を塗布し、前記転写シートに穿設された装飾用デザインの形で、被装飾体に接着剤を付着させるステップと、前記転写シートを前記被装飾体から外すステップと、箔を剥離可能に仮接着させた箔シートを、被装飾体に付着した接着剤に接触させるステップと、接着剤に接触させた前記箔シートを、接着剤に付着した箔を残して、被装飾体から剥がすステップとを有する。
【０００６】
好適には、前記転写シートは、装飾用デザインを穿設された装飾シートと、メッシュ状に形成されたメッシュシートとを貼り合わせてなる。
【０００７】
好適には、前記メッシュシートの網目は、最大径が０．１ｍｍ以上０．４ｍｍ以下の大きさに形成されてなる。
好適には、前記箔シートは、表面に微細な凹凸を設けた補助シートに、箔を剥離可能に仮接着させてなる。
【０００８】
また、本発明に係る箔シートは、金属箔と、補助シートとを有し、前記金属箔が、揮発性液体を用いて、前記補助シートの表面に固定されてなる。
【発明の効果】
【０００９】
本発明によれば、箔を被装飾体に容易に転写することができる。
【図面の簡単な説明】
【００１０】
【図１】箔転写方法１の手順１〜５を例示する図である。
【図２】転写シート１０の構造を例示する図である。
【図３】箔シート５０の構造を例示する図である。
【図４】補助シート２１０に箔２００を仮接着させる仮接着方法３００の手順１〜３を例示する図である。
【発明を実施するための形態】
【実施例１】
【００１１】
図１は、箔転写方法１の手順１〜５を例示する図である。
図１に例示するように、箔転写方法１は、５つの手順から構成される。以下、各手順について説明する。
【００１２】
手順１では、転写シート１０（図２を用いて後述）を被装飾体３０に固定する。転写シート１０を被装飾体３０に固定する手段は、特に限定するものではない。例えば、転写シート１０は、接着剤などの粘着性のある素材を介して貼着されたり、バンドなどにより緊締される等して被装飾体３０に固定されればよい。また、本実施例における被装飾体３０は、人体の任意部位である。例えば、被装飾体は、手の甲、腕、又は胸元などである。
本実施例では、転写シート１０は、テープ２０により、被装飾体３０である腕に固定される。
【００１３】
手順２では、被装飾体３０に固定された転写シート１０の上に、接着剤４０を塗布する。塗布された接着剤４０は、転写シート１０に穿設された装飾用デザイン１０２の形で、転写シート１０を透過し、被装飾体３０に付着する。なお、接着剤４０は、特に限定するものではないが、人体の皮膚への刺激が少ないものであることが好ましい。さらに、接着剤４０は、乾くと、粘着力を有し、人体の皮膚から容易に剥離可能なように固形化するものがより好ましい。例えば、接着剤４０は、かつら、付け髭、又は付けまつ毛用などを皮膚に接着するもの等であり、さらに、ラテックスを含有するものであれば好適である。
【００１４】
手順３では、転写シート１０を被装飾体３０から外す。これにより、装飾用デザイン１０２を形成する接着剤４０のみが、被装飾体３０に残される。この後、必要に応じて、接着剤４０が粘着性を有するまで、接着剤４０を乾かす。
【００１５】
手順４では、箔シート５０（図３を用いて後述）を、被装飾体３０において装飾用デザイン１０２を形成する接着剤４０に接触させる。これにより、箔２００が接着剤４０に付着する。
【００１６】
手順５では、接着剤４０に接触させた箔シート５０を、接着剤４０に付着した箔２００を残して、被装飾体３０から剥がす。これにより、箔２００は、装飾用デザイン１０２の形で、接着剤４０に付着した状態となる。この後、必要に応じて、ブラシ等を用いて、接着剤４０が付着している部分からはみ出している箔２００を払って、取り除く。
【００１７】
以上説明した箔転写方法１によれば、利用者は、箔２００を、転写シート１０に穿設された任意の装飾用デザイン１０２の形で、被装飾体３０に転写することができる。このとき、利用者は、特殊な技能を必要とせず、容易に箔２００を被装飾体３０に転写することができる。
【００１８】
図２は、転写シート１０の構造を例示する図である。
図２に例示するように、転写シート１０は、装飾シート１００と、メッシュシート１１０とを貼り合わせたものである。なお、装飾シート１００とメッシュシート１１０とを貼り合わせる手段は、特に限定するものではない。例えば、装飾シート１００は、メッシュシート１１０と、接着又は溶着などにより、貼り合わされればよい。
【００１９】
装飾シート１００は、任意の装飾用デザイン１０２が穿設されている。装飾シート１００を形成する素材は、特に限定するものではないが、接着剤４０を透過させず、体の部位にフィットするように可撓性を有するものであることが好ましい。例えば、装飾シート１００は、樹脂フィルムなどにより形成されればよい。
【００２０】
メッシュシート１１０は、メッシュ状に形成されたものである。メッシュシート１００を形成する素材は、特に限定するものではないが、装飾シート１００が有する可撓性を阻害しないものであることが好ましい。例えば、メッシュシート１１０は、天然繊維又は合成繊維などにより形成されればよい。また、メッシュシート１１０の網目の大きさは、接着剤４０の透過具合、又は装飾用デザイン１０２の細かさに応じて、任意であるが、通常、０．１〜０．４ｍｍ四方であればよい。
【００２１】
以上説明した転写シート１０によれば、利用者は、メッシュシート１１０を土台にして、装飾シート１００に、任意の装飾用デザイン１０２を穿設することができる。このとき穿設される装飾用デザイン１０２は、内部に外形から切り離されたデザインを有するものであってもよい。
【００２２】
図３は、箔シート５０の構造を例示する図である。
図３に例示するように、箔シート５０は、補助シート２１０に、箔２００を、剥離可能に仮接着（図４を用いて後述）したものである。
【００２３】
箔２００は、厚さが約０．１〜０．３μｍになるまで、金属をごく薄く延ばしたものである。例えば、箔２００は、金箔、銀箔、プラチナ箔、又は真鍮箔などである。
【００２４】
補助シート２１０は、箔２００を剥離可能な仮接着の状態で保持する。補助シート２１０の表面には、微細な凹凸が設けられている。補助シート２１０の表面に微細な凹凸を設ける手段は、特に限定するものではない。例えば、補助シート２１０は、表面にコロナ処理を施したもの等であればよい。なお、コロナ処理とは、樹脂フィルム、紙、又は金属等の基材にコロナ放電を照射することで、基材の表面に微細な凹凸を形成する等して、基材の表面を改質させる技術のことである。
また、補助シート２１０を形成する素材は、特に限定するものではないが、体の部位にフィットするように可撓性を有するものであることが好ましい。例えば、補助シート２１０は、ポリエチレン又はポリプロピレンの樹脂フィルムなどにより形成されればよい。
【００２５】
図４は、補助シート２１０に箔２００を仮接着させる仮接着方法３００の手順１〜３を例示する図である。
図４に例示するように、仮接着方法３００は、３つの手順から構成される。以下、各手順について説明する。
【００２６】
手順１では、コロナ処理などにより表面に微細な凹凸を形成された補助シート２１０の上に、箔２００を置く。このとき、箔２００は、補助シート２１０に、静電気などにより仮接着した状態となる。
【００２７】
手順２では、補助シート２１０の上に置かれた箔２００に、アルコール３２０を、スプレー３１０などを用いて、吹きかける。なお、このとき、箔２００に吹きかける液体は、アルコール３２０に限定するものではなく、揮発性を有するものであればよい。アルコール３２０は、箔２００の微細な孔から浸透し、箔２００と補助シート２１０の表面に形成された凹凸との間に入り込む。
【００２８】
手順３では、アルコール３２０を吹きかけられた箔２００を乾かす。これにより、箔２００と補助シート２１０の表面に形成された凹凸との間に入り込んでいたアルコール３２０が蒸発し、箔２００は、補助シート２１０の表面にある凹凸にフィットした状態で、補助シート２１０に仮接着される。
【００２９】
以上説明した仮接着方法３００により、箔２００は、基材フィルム２１０の表面に形成された凹凸にフィットさせることができる。これにより、箔２００が基材フィルム２１０に接触する面積が、増大することになり、箔２００は、平坦な表面に箔２００を仮接着させたものに比べ、基材フィルム２１０に、より強固に接着することができる。
このように生成された箔シート５０によれば、箔転写方法１における手順５において、箔２００は、皮膚の表面にある皮脂又は汗などに付着することにより、補助シート２１０から剥がれてしまうことがなくなる。つまり、接着剤４０に付着した部分の箔２００だけが、補助シート２１０から剥がれるようになる。
【００３０】
［変形例］
上記実施例では、被装飾体３０は、人体の任意部位であったが、これを物に置き換えてもよい。
【符号の説明】
【００３１】
１      箔転写方法
１０    転写シート
２０    テープ
３０    被装飾体
４０    接着剤
５０    箔シート
１００  装飾シート
１０２  装飾用デザイン
１１０  メッシュシート
２００  箔
２１０  補助シート
３００  仮接着方法
３１０  スプレー
３２０  アルコール
【図１】
2011136437.tif 000003
【図２】
2011136437.tif 000004
【図３】
2011136437.tif 000005
【図４】
2011136437.tif 000006